(57)【要約】【課題】装用後のコンタクトレンズの洗浄消毒にあって、いつでも定められた使用量により確実で衛生的に洗浄消毒することができるコンタクトレンズ洗浄消毒方法およびコンタクトレンズ洗浄消毒液包装体，コンタクトレンズ洗浄消毒液計量具を提供する。【解決手段】所定期間使用分のコンタクトレンズ洗浄消毒液ｂを収容したコンタクトレンズ洗浄消毒液包装体Ａの注ぎ出し部３へ着脱自在にコンタクトレンズ洗浄消毒液計量具２を取り付けて、このコンタクトレンズ洗浄消毒液計量具内へコンタクトレンズの片目分または両目分の洗浄消毒を行う量のコンタクトレンズ洗浄消毒液ｂを充填し、このコンタクトレンズ洗浄消毒液計量具をコンタクトレンズ洗浄消毒液包装体から外して、該コンタクトレンズ洗浄消毒液計量具に設けた供給孔８よりコンタクトレンズ洗浄消毒液をコンタクトレンズに振り掛けて洗浄消毒を行う。【選択図】    図１
2004271614.tif 000002
【特許請求の範囲】
【請求項１】
装用したコンタクトレンズのコンタクトレンズ洗浄消毒液による洗浄消毒にあって、
所定期間使用分の前記コンタクトレンズ洗浄消毒液を収容したコンタクトレンズ洗浄消毒液包装体の注ぎ出し部へ着脱自在にコンタクトレンズ洗浄消毒液計量具を取り付けて、このコンタクトレンズ洗浄消毒液計量具内へ前記コンタクトレンズの片目分または両目分の洗浄消毒を行う量の前記コンタクトレンズ洗浄消毒液を充填し、このコンタクトレンズ洗浄消毒液計量具を前記コンタクトレンズ洗浄消毒液包装体から外して、該コンタクトレンズ洗浄消毒液計量具に設けた供給孔より前記コンタクトレンズ洗浄消毒液を前記コンタクトレンズに振り掛けて前記洗浄消毒を行うことを特徴とするコンタクトレンズ洗浄消毒方法。
【請求項２】
一端部にコンタクトレンズ洗浄消毒液が注出される注ぎ出し部を設けて該コンタクトレンズ洗浄消毒液を収容した容器と、前記注ぎ出し部へ着脱自在に設けたコンタクトレンズ洗浄消毒液計量具とを有し、
前記コンタクトレンズ洗浄消毒液計量具は、コンタクトレンズの片目分または両目分の洗浄消毒を行う量が収容できる本体と、前記コンタクトレンズ洗浄消毒液を注出する注出孔と、前記注ぎ出し部へ嵌着して前記本体内へ前記コンタクトレンズ洗浄消毒液を充填する供給孔とを備えさせたことを特徴とするコンタクトレンズ洗浄消毒液包装体。
【請求項３】
所定期間使用分のコンタクトレンズ洗浄消毒液を収容した容器と、この容器の一端部に設けた前記コンタクトレンズ洗浄消毒液の注ぎ出し部と、この注ぎ出し部へ一体的に取り付けたコンタクトレンズ洗浄消毒液計量具とを有し、
前記コンタクトレンズ洗浄消毒液計量具は、コンタクトレンズの片目分または両目分の洗浄消毒を行う量が収容できる本体と、前記コンタクトレンズ洗浄消毒液を注出する注出孔とを備えさせたことを特徴とするコンタクトレンズ洗浄消毒液包装体。
【請求項４】
一端部にコンタクトレンズ洗浄消毒液が注出される注ぎ出し部を設けて所定期間使用分のコンタクトレンズ洗浄消毒液を収容したコンタクトレンズ洗浄消毒液包装体へ、その注ぎ出し部へ着脱自在に設けたコンタクトレンズ洗浄消毒液計量具にあって、
コンタクトレンズの片目分または両目分の洗浄消毒を行う量が収容できる本体と、前記コンタクトレンズ洗浄消毒液を注出する注出孔と、前記注ぎ出し部へ嵌着して前記本体内へ前記コンタクトレンズ洗浄消毒液を充填する供給孔とを備えさせたことを特徴とするコンタクトレンズ洗浄消毒液計量具。
【発明の詳細な説明】
【０００１】
【産業上の利用分野】
本発明は、装用後のコンタクトレンズの洗浄消毒にあって、定められた使用量により確実で衛生的に洗浄消毒することができるコンタクトレンズ洗浄消毒方法およびコンタクトレンズ洗浄消毒液包装体，コンタクトレンズ洗浄消毒液計量具に関する。
【０００２】
【従来の技術】
コンタクトレンズを装用していると、涙液中のタンパク質や脂肪分，カルシウムなどがレンズに付着する。
そのため、コンタクトレンズを安全・かつ快適に使用していくためには、該コンタクトレンズは、最低限の決められた洗浄消毒液の用法や該洗浄消毒液の容量を守る必要がある。
【０００３】
現今、その洗浄消毒方法にあっては、図８（ａ）に示すように、装用したコンタクトレンズ６０を片手の手のひらに置き、ボトル６１に入った洗浄消毒液６２を数滴振り掛けて、該コンタクトレンズ６０の両面をそれぞれ２０〜３０回程度あるいは２０秒程度指で軽く擦りながら洗う。
更に、このコンタクトレンズ６０を、図８（ｂ）に示すように、再び、ボトル６１に入った洗浄消毒液６２によって良くすすぐことで、該洗浄消毒がなされるものであった。
【０００４】
しかしながら、このボトル６１から注ぎ出される洗浄消毒液６２は、使用者によってそれぞれバラツキがあって、必ずしも、適正な使用量により行われたかどうかの確認ができない。
そのため、該用法において、洗浄消毒液６２の使用量の不足によって、洗浄消毒が不完全となりやすく、不衛生となって使用の安全性に問題を生じたりする。また、洗浄消毒液６２の使用量の過剰によって、該洗浄消毒液６２が無駄に使用される不都合が生ずる。などの問題点があった。
【０００５】
【発明が解決しようとする課題】
本発明は前記した問題点を解決するためになされたもので、所定期間使用分のコンタクトレンズ洗浄消毒液を収容したコンタクトレンズ洗浄消毒液包装体の注ぎ出し部へ着脱自在にコンタクトレンズ洗浄消毒液計量具を取り付けて、このコンタクトレンズ洗浄消毒液計量具内へコンタクトレンズの片目分または両目分の洗浄消毒を行う量のコンタクトレンズ洗浄消毒液を充填し、このコンタクトレンズ洗浄消毒液計量具をコンタクトレンズ洗浄消毒液包装体から外して、該コンタクトレンズ洗浄消毒液計量具に設けた供給孔よりコンタクトレンズ洗浄消毒液をコンタクトレンズに振り掛けて前記洗浄消毒を行うことにより、装用後のコンタクトレンズの洗浄消毒にあって、いつでも定められた使用量により確実で衛生的に洗浄消毒することができるコンタクトレンズ洗浄消毒方法およびコンタクトレンズ洗浄消毒液包装体，コンタクトレンズ洗浄消毒液計量具を提供することを目的としている。
【０００６】
【課題を解決するための手段】
前記した目的を達成するための本発明の手段は、
装用したコンタクトレンズのコンタクトレンズ洗浄消毒液による洗浄消毒にあって、
所定期間使用分の前記コンタクトレンズ洗浄消毒液を収容したコンタクトレンズ洗浄消毒液包装体の注ぎ出し部へ着脱自在にコンタクトレンズ洗浄消毒液計量具を取り付けて、このコンタクトレンズ洗浄消毒液計量具内へ前記コンタクトレンズの片目分または両目分の洗浄消毒を行う量の前記コンタクトレンズ洗浄消毒液を充填し、このコンタクトレンズ洗浄消毒液計量具を前記コンタクトレンズ洗浄消毒液包装体から外して、該コンタクトレンズ洗浄消毒液計量具に設けた供給孔より前記コンタクトレンズ洗浄消毒液を前記コンタクトレンズに振り掛けて前記洗浄消毒を行うコンタクトレンズ洗浄消毒方法にある。
【０００７】
一端部にコンタクトレンズ洗浄消毒液が注出される注ぎ出し部を設けて該コンタクトレンズ洗浄消毒液を収容した容器と、前記注ぎ出し部へ着脱自在に設けたコンタクトレンズ洗浄消毒液計量具とを有し、
前記コンタクトレンズ洗浄消毒液計量具は、コンタクトレンズの片目分または両目分の洗浄消毒を行う量が収容できる本体と、前記コンタクトレンズ洗浄消毒液を注出する注出孔と、前記注ぎ出し部へ嵌着して前記本体内へ前記コンタクトレンズ洗浄消毒液を充填する供給孔とを備えさせたコンタクトレンズ洗浄消毒液包装体の構成にある。
【０００８】
所定期間使用分のコンタクトレンズ洗浄消毒液を収容した容器と、この容器の一端部に設けた前記コンタクトレンズ洗浄消毒液の注ぎ出し部と、この注ぎ出し部へ一体的に取り付けたコンタクトレンズ洗浄消毒液計量具とを有し、
前記コンタクトレンズ洗浄消毒液計量具は、コンタクトレンズの片目分または両目分の洗浄消毒を行う量が収容できる本体と、前記コンタクトレンズ洗浄消毒液を注出する注出孔とを備えさせたコンタクトレンズ洗浄消毒液包装体の構成にある。
【０００９】
一端部にコンタクトレンズ洗浄消毒液が注出される注ぎ出し部を設けて所定期間使用分のコンタクトレンズ洗浄消毒液を収容したコンタクトレンズ洗浄消毒液包装体へ、その注ぎ出し部へ着脱自在に設けたコンタクトレンズ洗浄消毒液計量具にあって、
コンタクトレンズの片目分または両目分の洗浄消毒を行う量が収容できる本体と、前記コンタクトレンズ洗浄消毒液を注出する注出孔と、前記注ぎ出し部へ嵌着して前記本体内へ前記コンタクトレンズ洗浄消毒液を充填する供給孔とを備えさせたコンタクトレンズ洗浄消毒液計量具の構成にある。
【００１０】
【発明の実施の形態】
次に本発明に関するコンタクトレンズ洗浄消毒方法およびコンタクトレンズ洗浄消毒液包装体，コンタクトレンズ洗浄消毒液計量具の一実施例を図面に基づいて説明する。
図１および図４〜図７においてＡは、コンタクトレンズ洗浄消毒液包装体で、容器１と、コンタクトレンズ洗浄消毒液計量具２とにより構成される。なお、この容器１内に収容されているコンタクトレンズ洗浄消毒液ｂは、流動性の良い溶液状であって、コンタクトレンズの洗浄やすすぎ，消毒あるいは保存などに用いられていつものであって、その成分は、例えば、塩化ポリドロニウムや界面活性剤，緩衝剤等が適宜混合調製された慣用のものが用いられる。
【００１１】
そして、図１および図４に示すコンタクトレンズ洗浄消毒液包装体Ａにあっては、第一の実施例を示すものである。
前記した容器１は、一端部（例えば、上端部）にコンタクトレンズ洗浄消毒液ｂが注出される取出孔４を有する注ぎ出し部３を設けて、その内部に該コンタクトレンズ洗浄消毒液ｂを収容してある。
また、この容器１は、合成樹脂等により可撓性，弾性，耐溶液性を有するように形成して、容器１の外周部を押すことで容易に変形（力を抜くことで原形に復帰する）することで、内部に収容されたコンタクトレンズ洗浄消毒液ｂが取出孔４より注ぎ出される。
なお、この注ぎ出し部３には、適宜着脱自在となるキャップ５が設けられる。
【００１２】
この容器１に対するコンタクトレンズ洗浄消毒液ｂの全容量は、例えば、２週間分用や１ヶ月分用あるいは１ヶ月半分用、とのように所定期間使用分が、すなわち、前記期間分がこの一つの容器１内に収容されている量である。
【００１３】
前記したコンタクトレンズ洗浄消毒液計量具２は、容器１における注ぎ出し部３へ着脱自在に設けるものである。
このコンタクトレンズ洗浄消毒液計量具２は、コンタクトレンズの片目分または両目分の洗浄消毒を行う量が収容できる本体６と、コンタクトレンズ洗浄消毒液ｂを注出する注出孔７と、注ぎ出し部３へ嵌着して本体６内へ前記コンタクトレンズ洗浄消毒液ｂを充填する供給孔８とによりなる。
【００１４】
なお、本体６において、コンタクトレンズの片目分または両目分の洗浄消毒を行う量とは、例えば、１０ｃｃ〜３０ｃｃ程度であり、一回のコンタクトレンズの洗浄消毒により全量を使い切ってしまう量である。
【００１５】
前記した本体６は、合成樹脂等により任意形状で、可撓性，弾性，耐溶液性を有するように形成して、外周部を押すことで容易に変形（力を抜くことで原形に復帰する）して、該本体６の内容積が減少する、いわゆる、スポイト作用をなすことが好ましい。
また、この本体６の適所には、例えば、外周部には、一箇所または複数箇所において目盛り１０を付設しておけば、使用にあって、その使用量の目安となるもので、この場合、本体６は透光性（外部から内部のコンタクトレンズ洗浄消毒液ｂの量が見える状態）を有する素材により成形される。
【００１６】
前記した注出孔７は、本体６内に充填されたコンタクトレンズ洗浄消毒液ｂが一定量ずつ注出されるように、その開口度を小さく絞ってある。
あるいは、該注出孔７を下方に向けても、コンタクトレンズ洗浄消毒液ｂの表面張力により、容易に該コンタクトレンズ洗浄消毒液ｂが出ないように設けられる。
【００１７】
前記した供給孔８は、本体６の適所に、例えば、該本体６の底部に開口させてあって、図１に示す場合には、容器１における注ぎ出し部３の外周部へこの供給孔８を押し込むことで、容器１の内部と本体６の内部とが挿通するため、容器１内のコンタクトレンズ洗浄消毒液ｂを本体６内へ移動させることができる。
なお、この供給孔８には、図３に示すように、使用時において、本体６内に充填したコンタクトレンズ洗浄消毒液ｂが漏れ出さないように、栓部材９を設けることができる。この栓部材９にあっては、図示してないが、供給孔８に逆止弁付きのものを設けても良い。
【００１８】
この容器１における注ぎ出し部３へ着脱自在に設けるコンタクトレンズ洗浄消毒液計量具２は、図４に示すように、容器１における下部（底部）に設けた通孔状に形成された注ぎ出し部３へ着脱自在に設けることができるもので、注出孔７と供給孔８とは兼用することができる。
すなわち、本体６の一側部に供給孔８を兼ねた注出孔７を設けて、この注出孔７を容器の注ぎ出し部３へ挿入して、容器１内のコンタクトレンズ洗浄消毒液ｂをこの本体１内へ移動させれば、該本体１の内部にはコンタクトレンズ洗浄消毒液ｂの一定量が充満する。
【００１９】
なお、容器１の底部などに設けた通孔状の注ぎ出し部３は、コンタクトレンズ洗浄消毒液計量具２へのコンタクトレンズ洗浄消毒液ｂの充填後は、着脱自在の栓体１ａにより閉塞しておく。この栓体１ａにあっては、図示してないが、注ぎ出し部３に逆止弁付きのものを設けても良い。
【００２０】
したがって、前記のように構成される本発明のコンタクトレンズの洗浄消毒方法およびコンタクトレンズ洗浄消毒液包装体Ａの第一実施例は、以下に述べる作用を奏する。
コンタクトレンズ洗浄消毒液ｂが収容された容器１（この容器１は市販されている既存のものも使用することができる。）における注ぎ出し部３へ、コンタクトレンズ洗浄消毒液計量具２の供給孔８を挿入して、容器１の外周部を軽く押すと、軟質材により形成されているため容易に変形してその圧力により、注ぎ出し部３の取出孔４から、本体６内へコンタクトレンズ洗浄消毒液ｂが移動する。
【００２１】
本体６の目盛り１０や本体６の可透性などを目安にして、所定の量（いわゆる、定められた規定量）が本体６内に入れば、このコンタクトレンズ洗浄消毒液計量具２は、注ぎ出し部３より引き抜き、供給孔８を栓部材９により閉塞しておく。
【００２２】
そして、装用後のコンタクトレンズの洗浄および消毒にあっては、片手に該コンタクトレンズを持ち、他方の手で、このコンタクトレンズ洗浄消毒液計量具２を保持しながら、本体６をつまんで押すと、注出孔７からコンタクトレンズ洗浄消毒液ｂが注ぎ出るので、何回か指で軽く擦りながら洗い、更に、このコンタクトレンズへコンタクトレンズ洗浄消毒液ｂを振り掛けて良くすすぐことで、該洗浄消毒がなされる。必要量のコンタクトレンズ洗浄消毒液ｂが入った小型のコンタクトレンズ洗浄消毒液計量具２は、その全体構成がコンパクトとなるため、その取り扱いに容易で、細かいコンタクトレンズを操作する際に作業がしやすい。
【００２３】
このとき、コンタクトレンズ洗浄消毒液計量具２は、洗浄消毒の一回分のコンタクトレンズ洗浄消毒液ｂの量が規定通りに収容されているので、使用者は、この本体１内のコンタクトレンズ洗浄消毒液ｂの量を見ながら万遍なくこの洗浄消毒を行うことができ、その途中、本体１内のコンタクトレンズ洗浄消毒液ｂの量が比較的多い残量であれば、コンタクトレンズへの該コンタクトレンズ洗浄消毒液ｂの供給量が少ないことが目視により直ちに判別でき、この操作を是正して、もっと念入りに作業を行うことが必要であることが簡単に認識できる。
【００２４】
したがって、この例によれば、装用後のコンタクトレンズは、毎回行われる作業にあって、常に同様な適性状態で洗浄消毒が行われて、極めて衛生的で安全性の高い保存結果が得られる。
【００２５】
なお、このコンタクトレンズ洗浄消毒液包装体Ａにおけるコンタクトレンズ洗浄消毒液計量具２は、反復して用いることができ、使用後は、注ぎ出し部３へ本体６の供給孔８を挿嵌させておくことにより、容器１と一体的に保持させておくことができて、その収納や管理に便利である。
更には、このコンタクトレンズ洗浄消毒液計量具２は、使い捨てであっても構わないもので、この場合、容器１内に収容されたコンタクトレンズ洗浄消毒液ｂがなくなったとき、この容器１ごと廃棄処分とするものである。
【００２６】
また、コンタクトレンズ洗浄消毒液計量具２は、必ずしも、容器１と一体的に保持させておくコンタクトレンズ洗浄消毒液包装体Ａとして使用するだけではなく、コンタクトレンズ洗浄消毒液ｂを収容した容器１と、該コンタクトレンズ洗浄消毒液計量具２とが別々に構成されていて、装用後のコンタクトレンズの洗浄および消毒にあって、既存の容器１に対して、その注ぎ出し部３へ本体１の供給孔８を対応させて、容器１における一回分のコンタクトレンズ洗浄消毒液ｂを該本体１内へ移し替えても良い。
【００２７】
図５においてＡは、本発明に係る第二の実施例を示すコンタクトレンズ洗浄消毒液包装体Ａであって、所定期間使用分のコンタクトレンズ洗浄消毒液ｂを収容した容器１１と、この容器１１の一端部に設けたコンタクトレンズ洗浄消毒液ｂの注ぎ出し部１３と、この注ぎ出し部１３へ一体的に取り付けたコンタクトレンズ洗浄消毒液計量具１２とを有していて、このコンタクトレンズ洗浄消毒液計量具１２は、コンタクトレンズの片目分または両目分の洗浄消毒を行う量が収容できる本体１６と、コンタクトレンズ洗浄消毒液ｂを注出する注出孔１７とを備えさせる。
【００２８】
すなわち、この例のコンタクトレンズ洗浄消毒液包装体Ａにあっては、容器１１とコンタクトレンズ洗浄消毒液計量具１２とが分離しない一体構成に形成されたものである。
そして、容器１１と本体１６とは、合成樹脂等により可撓性，弾性，耐溶液性を有するように形成して、それぞれの外周部を押すことで容易に変形（力を抜くことで原形に復帰する）して、該容器１１と本体１６との内容積が減少する、いわゆる、スポイト作用をなすことが好ましい。
【００２９】
容器１１の一側部（例えば、上部）には、コンタクトレンズ洗浄消毒液ｂが通過し得る注ぎ出し部１３が設けられていて、この注ぎ出し部１３と接続して本体１６の他側部が連続している。
また、本体１６の他側部においては、容器１１内と本体１６内とを挿通させる取出孔１４が穿設されていて、コンタクトレンズ洗浄消毒液ｂが容易に容器１１内と本体１６内とを流動できるようにしてある。
この取出孔１４は、図示しない逆止弁を設けることで、本体１６内に収容されたコンタクトレンズ洗浄消毒液ｂの容器１１内への逆流が防止される。
【００３０】
コンタクトレンズ洗浄消毒液ｂを注出する注出孔１７は、着脱自在となるキャップ１５により閉塞させる。
【００３１】
したがって、この第二実施例に示されるコンタクトレンズ洗浄消毒液包装体Ａは、例えば、逆さ状態（必ずしも逆さでなくても良い。）において、容器１１の外周部を軽く押すと、軟質材により形成されているため容易に変形してその圧力により、注ぎ出し部１３の取出孔１４から、本体１６内へコンタクトレンズ洗浄消毒液ｂが移動する。
【００３２】
本体１６の目盛り１１０や本体１６の可透性などを目安にして、所定の量（いわゆる、定められた規定量）が本体１６内に入る。
【００３３】
そして、装用後のコンタクトレンズの洗浄および消毒にあっては、片手に該コンタクトレンズを持ち、他方の手で、このコンタクトレンズ洗浄消毒液計量具１２を保持しながら、本体１６をつまんで押すと、注出孔１７からコンタクトレンズ洗浄消毒液ｂが注ぎ出るので、何回か指で軽く擦りながら洗い、更に、このコンタクトレンズへコンタクトレンズ洗浄消毒液ｂを振り掛けて良くすすぐことで、該洗浄消毒がなされる
【００３４】
なお、この例にあって、レンズケース（図示せず）内へのコンタクトレンズ洗浄消毒液ｂを注入する場合には、容器１１内のコンタクトレンズ洗浄消毒液ｂを本体１６内へ一旦適量を移し、該コンタクトレンズ洗浄消毒液計量具１２を介して行うことができる。この場合、本体１６内にコンタクトレンズ洗浄消毒液ｂが残存したときは、容器１１を上向きにして容器１１を押して吸い取ったり、あるいは、本体１６を押して容器１１内へ押し込んだりすることで元に戻すことができるものであるが、この動作が必要なければ、本体１６内の残存状態のままでも構わない。
【００３５】
コンタクトレンズ洗浄消毒液計量具１２は、図６に示すように、容器１１内に設けてもよく、容器１１を押すことで、本体１６の適所に設けた逆止弁付き取出孔１４から、この本体１６内にコンタクトレンズ洗浄消毒液ｂが充填される。取出孔１４を適宜な手段により閉塞することで、適量の本体１６内のコンタクトレンズ洗浄消毒液ｂが注出される。
【００３６】
図７においてＡは前記第一実施例における他の変形例で、容器１における注ぎ出し部３へ着脱自在に設けたコンタクトレンズ洗浄消毒液計量具２に、トリガーポンプなどの圧送部材３０を設けて、該圧送部材３０の操作により本体６内へ適量のコンタクトレンズ洗浄消毒液ｂを移送し、次いで、この圧送部材３０の操作により本体６内のコンタクトレンズ洗浄消毒液ｂを注出することができる。該圧送部材３０は任意の手段を選定し得る。
【００３７】
【発明の効果】
前述したように本発明は、コンタクトレンズの洗浄消毒にあって、毎回行われる作業において、そのコンタクトレンズ洗浄消毒液の使用量が、規定の量ずつ正しい量が計測され、かつ、該量が明瞭となり、その量にて洗浄消毒が行われるので、使用者ごとの使用量のバラツキを生ずることなく、装用後のコンタクトレンズは極めて衛生的で、安全性の高い保存結果が得られる。等の格別な効果を奏するものである。
【図面の簡単な説明】
【図１】本発明に関するコンタクトレンズ洗浄消毒液包装体の第一実施例を示す縦断正面図である。
【図２】図１におけるコンタクトレンズ洗浄消毒液包装体のコンタクトレンズ洗浄消毒液計量具を示す斜視図である。
【図３】図２におけるコンタクトレンズ洗浄消毒液計量具の縦断正面図である。
【図４】図１におけるコンタクトレンズ洗浄消毒液包装体の他の例を示す縦断正面図である。
【図５】本発明に関するコンタクトレンズ洗浄消毒液包装体の第二実施例を示す縦断正面図である。
【図６】図５におけるコンタクトレンズ洗浄消毒液包装体の他の例を示す縦断正面図である。
【図７】図１におけるコンタクトレンズ洗浄消毒液包装体の他の例を示す縦断正面図である。
【図８】従来のコンタクトレンズを洗浄消毒する状態を示す説明図である。
【符号の説明】
Ａ…コンタクトレンズ洗浄消毒液包装体．１，１１…容器．２，１２…コンタクトレンズ洗浄消毒液計量具．３，１３…注ぎ出し部．６，１６…本体．７，１７…注出孔．８，１８…供給孔．
【図１】
2004271614.tif 000003
【図２】
2004271614.tif 000004
【図３】
2004271614.tif 000005
【図４】
2004271614.tif 000006
【図５】
2004271614.tif 000007
【図６】
2004271614.tif 000008
【図７】
2004271614.tif 000009
【図８】
2004271614.tif 000010